(57)【要約】      （修正有）【課題】メタボ・サルコペニア・ロコモの予防と改善を行うのに使うものであり、校庭にある鉄棒や家庭にあるぶら下がり器に引掛け、逆手で持ちぶら下がることで、姿勢が真っ直ぐになり肩こり、猫背、腰痛、ダイエット等を予防・改善ができる構造の運動健康器具を提供する。【解決手段】子供から高齢者まで使用でき、体重を支えられるように中厚のパイプｂを素材として使用し、一本のパイプの四つ角を曲げ、長方形を成型し長辺を中心から山折りアルファベット「Ａ」の文字のように曲げ、短辺の一部に引っ掛けを成型するようにした。その成型したパイプの上に、鋼板ａを形状に沿って被せる。【選択図】図２
2014180529.tif 000002
【特許請求の範囲】
【請求項１】
基本となる中厚パイプ１本を使用し、全体を長方形に成型し各角を９０°曲げ、長辺を中心から山折りに「Ａ」の文字のように曲げ、片方に引掛けを成型してその上に鋼板を被せ溶接。鉄棒などに引掛けてぶら下げて使う健康運動器具。
［選択図］［図４］［図８］
【請求項２】
上述したのみならず、引掛けずに両手で持っての運動も行え、床においても運動を行える健康運動器具。
［選択図］［図９］［図１０］［図１１］［図１２］［図１３］［図１４］［図１５］［図１６］［図１７］
【発明の詳細な説明】
【技術分野】
【０００１】本発明は、小学校・中学校等に設置してある鉄棒及び、家庭にあるぶら下がり器に本発明を引掛けて使用又は、床に置いて使用できる健康運動器具である。
【背景技術】
【０００２】従来のぶら下がり器具は、主にぶら下がる・懸垂の運動のみである。体に対して平行（順手ないし逆手）にパイプを握りぶら下がる。【０００３】近年のぶら下がり器具は、ぶら下がる・懸垂の他にも運動ができるが、決まった室内でのみの使用とされてきている。移動にも労力を使い、設置場所も限定される。
【発明が解決しようとする課題】
【０００４】上述したように、従来のぶら下がり器具は使用環境が制限されており、気軽に使用できない状況である。そこで本発明は、体に対し、垂直に逆手で持つことを前提とし、コンパクトかつ軽量化に加え、各部屋への移動も簡単に行える健康運動器具である。
【０００５】さらに本発明は、ぶら下げて使用するだけではなく、床の上に置き使用することもできる、健康運動器具を提供することを課題とする。
【課題を解決するための手段】
【０００６】上記課題を解決するため本発明（一号機）は、子供から高齢者まで使用でき、体重を支えられるように中厚のパイプを素材として使用し、一本のパイプの四つ角を曲げ、長方形を成型し長辺を中心から山折りアルファベット「Ａ」の文字のように曲げた［図１］のみの健康運動器具。
【０００７】本発明（一号機）は、運動の幅、設置場所の制限が解消されておらず改良の余地がある。
【０００８】本発明（一号機）を見直し、（二号機）はアルファベット「Ａ」の文字までの成型は同じで、短辺の一部（点線の楕円部分）［図１］に引掛けを成型するようにした。［図３ｄ］
その成型したパイプの上に、鋼板を形状に沿って被せる［図３ａ］ことによって強度が得られる。
【０００９】本発明（二号機）の鋼板［図３ａ］の上に、付属品のツボ押し板［図５］を設置することによって、床の上に置いて使用する事により、首、背中、腰のツボを刺激することができる健康運動器具である。
【００１０】本発明（二号機）は、屋外でも抵抗なく使用できるよう、本体が錆びない様にステンレスメッキを施す。
【発明の効果】
【００１１】本発明（二号機）でぶら下がって使用する時、逆手でひじを内にしぼるようにして持つ［図８▲４▼］ことにより、首（頸椎）・背中（背骨）・腰（腰椎）・尾骨が真っ直ぐになる。［図８▲５▼］
【００１２】上述したように、本発明（二号機）でぶら下がることによって頭痛、肩こり、腰痛、猫背、体の歪みの改善や、血行促進、疲労回復や身長アップにも使用できる健康運動器具である。
【００１３】本発明（二号機）を床の上に置いて使用する時、
第一に枕として使用でき、心地よいちょうど良い高さで首を支える事ができ［図１４］
第二に首・肩に当てて、肩こりやむち打ちの改善、軽減ができ［図１４］、
第三に肩甲骨の下に当てて、内臓の疲労軽減ができ［図１２］、
第四に腰に当てて、腰痛の方の疲労回復ができ［図１３］、
第五に足を上に乗せ、下半身（足）の疲労を取ることができ［図１５］［図１７］、
第六にうつ伏せになってみぞおちに当てて、内臓疲労回復・腰痛改善に効果が期待できる。［図１６］
【００１４】本発明（二号機）を両手（逆手）で持っての上げ下げ［図９］［図１０］や、本発明をひっくり返して腕立て［図１１］も行うことで、背筋、腕の筋力増強を図ることができる。
【図面の簡単な説明】
【００１５】
【図１】本発明（一号機）を示した図である。
【図２】本発明（二号機）の各部を示した斜図である。
【図３】本発明（二号機）の横の状態を示した図である。
【図４】本発明（二号機）の全体の説明斜図である。
【図５】本発明（二号機）に取付ける付属品を示した図である。
【図６】本発明（二号機）に付属品を取付けた状態の斜図である。
【図７】本発明（二号機）の付属品を示した図である。
【図８】本発明（二号機）の使用状態を示した図である。
【図９】本発明（二号機）の使用状態を示した図である。
【図１０】本発明（二号機）の使用状態を示した図である。
【図１１】本発明（二号機）の使用状態を示した図である。
【図１２】本発明（二号機）の使用状態を示した図である。
【図１３】本発明（二号機）の使用状態を示した図である。
【図１４】本発明（二号機）の使用状態を示した図である。
【図１５】本発明（二号機）の使用状態を示した図である。
【図１６】本発明（二号機）の使用状態を示した図である。
【図１７】本発明（二号機）の使用状態を示した図である。
【発明を実施するための形態】
【００１６】本発明（二号機）を実施するための形態を説明する。
中厚のパイプをコの字型に曲げ、両端２箇所をＵ字に曲げ、先端を引掛けを設ける［図３ｂ］［図３ｃ］［図３ｄ］
パイプだけでは、強度が少ないので増すためと、床上での利用目的のために鋼板を成型し設ける。［図３ａ］
本発明（二号機）は、以上のような構成からなる健康運動器具である。
以下、使用方法について説明する。
学校の校庭にある鉄棒及び、家庭にあるぶら下がり器などに本発明を引掛け、両手（逆手）で持つ、あるいは順手で持つ［図８］。さらに本発明を床において寝そべり、頭と首［図１４］、背中［図１２］、腰［図１３］、足を乗せ［図１５］［図１７］、うつ伏せになりみぞおちに当てて［図１６］使い、パイプ部を両手（逆手）で持ち、アレイとして前後［図９］、上下［図１０］も行え、腕立て伏せ［図１１］も行える健康運動器具である。
【符号の説明】
【００１７】ａ  鋼板
ｂ  パイプ
ｃ  Ｕ字部
ｄ  引掛け部
ｅ  鉄棒またはパイプ
ｆ  足ツボ台
ｇ  ツボ押し部
ｈ  磁石
ｉ  ツボ押し台
ｊ  引掛け製作部位
ｋ  戻り止めバネ
【図１】
2014180529.tif 000003
【図２】
2014180529.tif 000004
【図３】
2014180529.tif 000005
【図４】
2014180529.tif 000006
【図５】
2014180529.tif 000007
【図６】
2014180529.tif 000008
【図７】
2014180529.tif 000009
【図８】
2014180529.tif 000010
【図９】
2014180529.tif 000011
【図１０】
2014180529.tif 000012
【図１１】
2014180529.tif 000013
【図１２】
2014180529.tif 000014
【図１３】
2014180529.tif 000015
【図１４】
2014180529.tif 000016
【図１５】
2014180529.tif 000017
【図１６】
2014180529.tif 000018
【図１７】
2014180529.tif 000019